(57)【要約】【課題】航空機を放物線軌道で飛行させ且つ高重力環境が生命現象に与える影響を抑制できる低重力環境の生成方法を提供すること。【解決手段】航空機を落下加速度に相当する放物線軌道で飛行させ、落下加速度及び重力加速度の差に相当する低重力環境を前記航空機内に生成する低重力環境の生成方法は、低重力環境の生成前における航空機内の高重力を１．５Ｇ未満にすることを特徴とする。【選択図】図５
2010069952.tif 000002
【特許請求の範囲】
【請求項１】
航空機を落下加速度に相当する放物線軌道で飛行させ、落下加速度及び重力加速度の差に相当する低重力環境を前記航空機内に生成する低重力環境の生成方法であって、
前記低重力環境の生成前における前記航空機内の高重力を１．５Ｇ未満にする生成方法。
【請求項２】
更に、前記低重力環境の生成後における前記航空機内の高重力を１．５Ｇ未満にし、
その後、前記低重力環境を再生成する請求項１記載の生成方法。
【請求項３】
前記高重力を１．３Ｇ以下にする請求項１又は２記載の生成方法。
【請求項４】
前記高重力を１．２Ｇ超にする請求項１から３いずれか記載の生成方法。
【請求項５】
低重力環境における生物学的試料の実験方法であって、
請求項１から４いずれか記載の生成方法を用い、前記航空機内に生物学的試料を搭載して行う実験方法。
【請求項６】
内部に生物学的試料が搭載された航空機を落下加速度に相当する放物線軌道で飛行させ、落下加速度及び重力加速度の差に相当する低重力環境を前記航空機内に生成する際、前記低重力環境の生成前における前記航空機内の高重力を１．５Ｇ未満にすることで、前記高重力が前記生物学的試料に与える影響を抑制する方法。
【発明の詳細な説明】
【技術分野】
【０００１】
本発明は、航空機による低重力環境の生成方法に関する。
【背景技術】
【０００２】
従来、現行の宇宙ステーションや将来の有人月面基地又は火星探査等、人類の宇宙進出を念頭に、約１／６Ｇ（Ｇ＝９．８ｍ／ｓ２）の月面等、約１／３Ｇの火星表面等の模擬した低重力環境を、地球上で生成する技術の開発が進められてきた。
【０００３】
例えば、落下塔を用いる技術は、比較的簡便に実施できるため、汎用されている。また、同様の技術として、落下カプセルを用いる技術が挙げられる。しかし、これらの技術は、落下後の物体に著しい衝撃が負荷されるため、ヒトや高等動物等への適用が事実上不可能である。
【０００４】
そこで、航空機を放物線軌道で飛行（パラボリックフライト）させることで、落下加速度及び重力加速度の差に相当する低重力環境を航空機内に生成する技術が着目されている。この技術は、低重力環境で物体に負荷される衝撃が軽減されるため、宇宙飛行士の訓練や低重力環境で使用される装置の検証等に使用されている。
【０００５】
しかし、パラボリックフライトでは、低重力環境の生成前に高重力環境が不可避的に存在する。ここで、本発明者らが既に報告しているように、ヒトを含む動物を高重力に数秒間曝すと、脳内視床下部における多数の神経細胞が、ストレス応答反応を惹起する（非特許文献１及び２）。このため、従来の飛行条件で低重力環境下での生命現象を観察したところで、そこで検出される生命現象は、低重力環境による影響のみならず、高重力環境による影響も受けたものになり、純粋に低重力環境による影響を観察することができなかった。また、このような問題は、動物に限られたものではなく、生物学的試料一般に通じる問題である。
【非特許文献１】Ｋｕｍｅｉ，Ｙ．  ｅｔ  ａｌ．  Ｎｅｕｒｏｎａｌ  ｅｖｅｎｔｓ  ｏｆ  ｒａｔ  ｈｉｐｐｏｃａｍｐｕｓ  ｉｎ  ａ  ２Ｇ−ｃｅｎｔｒｉｆｕｇｅ．  Ｅｕｒｏｐｅａｎ  Ｌｏｗ  Ｇｒａｖｉｔｙ  Ｒｅｓｅａｒｃｈ  Ａｓｓｏｃｉａｔｉｏｎ  ＥＬＧＲＡ  Ｂｉｅｎｎｉａｌ  Ｓｙｍｐｏｓｉｕｍ  ａｎｄ  Ｇｅｎｅｒａｌ  Ａｓｓｅｍｂｌｙ，  Ｓａｎｔｏｒｉｎｉ，  Ｇｒｅｅｃｅ，  ９／２１−２５／２００５．  ＥＬＧＲＡ  Ｎｅｗｓ  ｖｏｌ  ２４，  ｐｐ１１５，  ２００５
【非特許文献２】Ｋｕｍｅｉ，  Ｙ．  ｅｔ  ａｌ．  Ｇｒａｖｉｔｙ  ｓｔｒｅｓｓ  ｅｌｅｖａｔｅｓ  ｔｈｅ  ｎｏｃｉｃｅｐｔｉｖｅ  ｔｈｒｅｓｈｏｌｄ  ｌｅｖｅｌ  ｗｉｔｈ  ｉｍｍｕｎｏｈｉｓｔｏｃｈｅｍｉｃａｌ  ｃｈａｎｇｅｓ  ｉｎ  ｔｈｅ  ｒａｔ  ｂｒａｉｎ．    Ａｃｔａ  Ａｓｔｒｏｎａｕｔｉｃａ  ４９：３８１−３９０，  ２００１
【発明の開示】
【発明が解決しようとする課題】
【０００６】
本発明は、以上の実情に鑑みてなされたものであり、航空機を放物線軌道で飛行させ且つ高重力環境が生命現象に与える影響を抑制できる低重力環境の生成方法を提供することを目的とする。
【課題を解決するための手段】
【０００７】
本発明者らは、重力が１．５Ｇ未満になると、生命現象に与える影響が激減することを見出し、本発明を完成するに至った。具体的には、本発明は以下のようなものを提供する。
【０００８】
（１）  航空機を落下加速度に相当する放物線軌道で飛行させ、落下加速度及び重力加速度の差に相当する低重力環境を前記航空機内に生成する低重力環境の生成方法であって、
前記低重力環境の生成前における前記航空機内の高重力を１．５Ｇ未満にする生成方法。
【０００９】
（２）  更に、前記低重力環境の生成後における前記航空機内の高重力を１．５Ｇ未満にし、
その後、前記低重力環境を再生成する（１）記載の生成方法。
【００１０】
（３）  前記高重力を１．３Ｇ以下にする（１）又は（２）記載の生成方法。
【００１１】
（４）  前記高重力を１．２Ｇ超にする（１）から（３）いずれか記載の生成方法。
【００１２】
（５）  低重力環境における生物学的試料の実験方法であって、
（１）から（４）いずれか記載の生成方法を用い、前記航空機内に生物学的試料を搭載して行う実験方法。
【００１３】
（６）  内部に生物学的試料が搭載された航空機を落下加速度に相当する放物線軌道で飛行させ、落下加速度及び重力加速度の差に相当する低重力環境を前記航空機内に生成する際、前記低重力環境の生成前における前記航空機内の高重力を１．５Ｇ未満にすることで、前記高重力が前記生物学的試料に与える影響を抑制する方法。
【発明の効果】
【００１４】
本発明によれば、低重力環境の生成前における航空機内の高重力を１．５Ｇ未満にしたので、高重力による生体ストレス応答の惹起が抑制される。このため、高重力環境が生命現象に与える影響を抑制できる。
【発明を実施するための最良の形態】
【００１５】
低重力環境の生成方法は、航空機を落下加速度に相当する放物線軌道で飛行させ、落下加速度及び重力加速度の差に相当する低重力環境を航空機内に生成する工程を有する。これにより、低重力環境が生命現象に与える影響を検出できる。
【００１６】
図１は、一般的なパラボリックフライトの飛行軌道及び航空機内の上下方向の重力を示すグラフである。図１における点Ｃ−点Ｄ間が、航空機内に低重力環境が生成される期間である。航空機実験では、航空機が推力を落とすことで放物線を描いて飛行する。この放物線軌道の開始から終了までの約２０秒間、機内は低重力状態になる。この低重力状態を可及的に長くするためには、低重力開始時点における航空機速度を最大化する必要がある。
【００１７】
そこで、低重力状態に突入する約１分前から、航空機は、いったん降下しその後上昇するという飛行姿勢を取る。具体的には、点Ｃの前に降下（点Ａ−点Ｂ間）及び上昇（点Ｂ−点Ｃ間）を行う。しかし、点Ａ−点Ｃ間、特に点Ｂ−点Ｃ間では高重力が生じるため、この高重力が生命現象に影響を与え、点Ｃ−点Ｄ間の低重力が生命現象に与える影響をマスクしてしまうことが懸念される。
【００１８】
本発明の生成方法は、低重力環境の生成前における航空機内の高重力を１．５Ｇ未満にすることを特徴とする。驚くべきことに、高重力を１．５Ｇ未満という低い値に設定することで、高重力により惹起される生体ストレス応答が抑制されるため、高重力環境が生命現象に与える影響を抑制できる。なお、本明細書で「高重力」とは、生成工程における航空機内の重力の最高値を指し、「航空機」とは空中を飛行する能力を備え且つ所定容積の内部空間を有する任意の輸送機を指す。
【００１９】
高重力は、多様な生物学的試料に関してより確実に影響を抑制できる点で、１．３Ｇ以下であることが好ましい。また、高重力が過小になると、低重力環境が発生する期間が不充分になることを考慮し、高重力は通常１．０Ｇ以上、好ましくは１．２Ｇ超である。
【００２０】
このように、高重力が従来の１．８〜２Ｇ程度から、１．５Ｇ未満という低い値に変更されるに伴い、放物線軌道上の飛行開始点における航空機の上昇角度、航行速度、又は重力値を適宜調節する必要がある。また、低重力環境が形成される期間の長さは、航空機の性能（失速速度、最大運用速度等）を考慮し、放物線軌道上の飛行開始点における航空機の上昇角度及び航行速度、放物線軌道上の飛行終了時の降下角度及び航行速度を調節することで、適宜設定できる。
【００２１】
低重力は、目的に応じて適宜設定されてよく、特に限定されるものではないが、例えば月面環境を模擬したい場合には約１／６Ｇであってよく、火星表面環境を模擬したい場合には約１／３Ｇであってよい。
【００２２】
再び図１に戻って、低重力環境の後にも高重力が生じる。特に、点Ｄ−点Ｅ間の重力は高いため、放物線軌道での飛行を複数回繰り返す場合、点Ｄ−点Ｅ間の高重力による影響が、次の放物線軌道における点Ｃ−点Ｄ間の低重力環境による影響をマスクすることが懸念される。
【００２３】
そこで、本発明の生成方法では、放物線軌道での飛行を複数回繰り返す場合、低重力環境の生成後における航空機内の高重力も１．５Ｇ未満にし、その後に低重力環境を再生成することが好ましい。これにより、高重力環境が生命現象に与える影響を抑制された状態で、生命現象を繰り返して観察できる。
【００２４】
低重力環境の生成後における航空機内の高重力は、多様な生物学的試料に関してより確実に影響を抑制できる点で、１．３Ｇ以下であることが好ましい。また、高重力が過小になると、航空機の落下が終了するまでの距離が嵩むため、結果的に低重力環境を発生できる期間を制限せざるを得ないことを考慮し、低重力環境の生成後における航空機内の高重力は通常１．０Ｇ以上、好ましくは１．２Ｇ超である。
【００２５】
本発明は、以上の生成方法を用い、航空機内に生物学的試料を搭載して行う工程を有する低重力環境における生物学的試料の実験方法も包含する。これにより、高重力が生物学的試料の生命現象に与える影響が抑制され、低重力環境が生物学的試料の生命現象に与える影響を高精度で観測できる。
【００２６】
ここで、生物学的試料は、生体分子で構成された任意の試料を指し、具体的には、動物又は植物の全体、器官、組織又は細胞、細菌、ウイルス等を包含する。動物としては、マウス、ラット、モルモット等のゲッ歯類、イヌ、ブタ、更にヒト、サル等の霊長類等が挙げられるが、これに限定されるものではない。植物としては、コケ植物、シダ植物、裸子植物、被子植物、藻類等が挙げられるが、これに限定されるものではない。
【００２７】
また、本発明は、航空機を落下加速度に相当する放物線軌道で飛行させ、落下加速度及び重力加速度の差に相当する低重力環境を航空機内に生成するようコンピュータに実現するためのプログラムへの応用も可能である。このプログラムは、低重力環境の生成前における航空機内の高重力を１．５Ｇ未満にする機能を実現する。これにより、コンピュータによる自動運転制御が可能になる。
【００２８】
かかるプログラムは、低重力環境の生成後における航空機内の高重力を１．５Ｇ未満にし、その後、前記低重力環境を再生成する機能を実現することが好ましい。また、プログラムは、高重力を１．３Ｇ以下にする機能及び／又は高重力を１．２Ｇ超にする機能を実現することがより好ましい。
【実施例】
【００２９】
４匹の５週齢の雄ウィスターラットを用い、麻酔下、タングステンマイクロワイヤ（直径１μｍ）記録電極を視床下部に埋めた。電極を、マイクロアンテナ及びバッテリを備えるトランスミッタ（２０×１５×３ｍｍ）にリードワイヤを介して接続した。このようなラットを航空機「ＭＵ−３００」（ダイヤモンドエアサービス社）内におき、航空機を図１に示す軌道でパラボリックフライトさせた。
【００３０】
（比較例１）
放物線飛行中、低重力状態前の上昇フライト（点Ｂ〜点Ｃ）及び回復フライト（点Ｄ〜点Ｅ）における加速度を１．５Ｇまで上げた。このときの各ラットの脳神経活動を図２に示す。図２に示されるように、搭載した計４匹のラットのうち１匹（ラット２）について、本来目的とする５．０×１０−２Ｇの低重力環境（点Ｃ〜点Ｄ）になる前に、脳神経活動（ニューロン発火頻度）が急上昇してしまっていた。また、５．０×１０−２Ｇの低重力環境を脱して１．０Ｇの定常フライト（点Ｅ以降）に戻った２０〜３０秒後にも、遅発型の脳神経活動の上昇が生じている。この現象は、明らかに、５．０×１０−２Ｇ直前及び直後、特に直前の１．５Ｇの高重力によって脳神経活動が惹起されたことによる副次的影響に起因し、本来目的とする低重力状態（５．０×１０−２Ｇ）状態で観察されるべき脳神経活動が妨害されることを示す。
【００３１】
（試験例１）
ラット計４匹を航空機に搭載して、１．０Ｇの定常フライトから、旋回飛行を開始し、最終的に旋回による遠心力によって１．５Ｇ高重力を発生させた。このときの各ラットの脳神経活動を図３に示す。図３に示されるように、搭載したラット４匹のうち１匹（ラット７）について、５秒間に亘る１．５Ｇの飛行直後に脳神経活動が３〜５倍に急上昇した。また別の１匹（ラット８）では、図２のラット２と同様に、１．５Ｇという高重力への曝露２０〜３０秒後に、遅発型の脳神経活動上昇が生じていた。
【００３２】
比較例１及び試験例１の結果から、１．５Ｇという高重力への曝露は、２５〜５０％の確率で、ラットのストレス中枢における脳神経活動を惹起することが分かった。これにより、低重力による脳神経活動を正確に調査するためには、目的とする低重力状態の前、好ましくは前後に発生する高重力を少なくとも１．５Ｇ未満にすることが必要であることが確認された。
【００３３】
＜実施例１＞
低重力状態前の上昇フライト及び回復フライトにおける加速度を１．４Ｇに設定した点を除き、比較例１と同様の手順で、飛行を行った。この間の機内上下方向の重力Ｇｚの経時的変化を図４に示す。図４に示されるように、航空機内部の低重力環境（５．０×１０−２Ｇ）は、約１２秒間に亘り維持できていた。また、機内温度は１９〜２３℃、機内湿度は１０〜４０％に維持した。
【００３４】
このときの各ラットの脳神経活動を図５に示す。図５に示されるように、搭載した計４匹のラットのいずれにおいても、本来目的とする５．０×１０−２Ｇの低重力環境前後において、図２に示すような脳神経活動の上昇は一切見られなかった。１．４Ｇという高重力による妨害も見られず、本来目的とする低重力状態（５．０×１０−２Ｇ）状態で観察されるべき脳神経活動データの取得に成功した。
【００３５】
（試験例２）
ラット計４匹を航空機に搭載し、１．０Ｇでの定常フライトから、旋回飛行を開始し、旋回による遠心力によって最終的には１．４Ｇという高重力を発生させた。このときの各ラットの脳神経活動を図６に示す。図６に示されるように、搭載したラット４匹のいずれにおいても、図３に示すような１．５Ｇで観察された脳神経活動の上昇は１．４Ｇでは一切見られなかった。
【００３６】
実施例１及び試験例２の結果から、１．４Ｇという高重力へ曝露されても、ラットのストレス中枢における脳神経活動が惹起されないことが分かった。これにより、低重力による脳神経活動を正確に調査するためには、目的とする低重力状態の前、好ましくは前後に発生する高重力を１．４Ｇ以下にすることが好ましいことが確認された。
【００３７】
＜実施例２＞
低重力状態前の上昇フライト及び回復フライトにおける加速度を１．３Ｇに設定した点を除き、実施例１と同様の手順で、飛行を行った。この間の機内上下方向の重力Ｇｚの経時的変化を図７に示す。図７に示されるように、航空機内部の低重力環境（５．０×１０−２Ｇ）は、約１２秒間に亘り維持できていた。
【００３８】
このときの各ラットの脳神経活動を図８に示す。図８に示されるように、搭載した計４匹のラットのいずれにおいても、本来目的とする５．０×１０−２Ｇの低重力環境前後において、図２のラット２で見られたような脳神経活動の上昇は一切見られなかった。１．３Ｇという高重力による妨害もほとんど見られず、本来目的とする低重力状態（５．０×１０−２Ｇ）状態で観察されるべき脳神経活動データの取得に成功した。なお、多数のラットについて行った実験において、１．４Ｇでは何匹かのラットで脳神経活動の上昇が確認されたのに対し、１．３Ｇではいずれのラットにおいても脳神経活動の上昇が確認されなかった（データ示さず）。
【００３９】
＜実施例３＞
低重力状態前の上昇フライト及び回復フライトにおける加速度を１．２Ｇに設定した点を除き、実施例１と同様の手順で、飛行を行った。この間の機内上下方向の重力Ｇｚの経時的変化を図９に示す。図９に示されるように、航空機内部の低重力環境（５．０×１０−２Ｇ）は、約１１秒間に亘り維持できていた。
【００４０】
このときの各ラットの脳神経活動を図１０に示す。図１０に示されるように、搭載した計４匹のラットのいずれにおいても、本来目的とする５．０×１０−２Ｇの低重力環境前後において、図２のラット２で見られたような脳神経活動の上昇は一切見られなかった。１．２Ｇという高重力による妨害もほとんど見られず、本来目的とする低重力状態（５．０×１０−２Ｇ）状態で観察されるべき脳神経活動データの取得に成功した。
【００４１】
＜実施例４＞
低重力状態前の上昇フライト及び回復フライトにおける加速度を１．０Ｇに設定した点を除き、実施例１と同様の手順で、飛行を行った。この間の機内上下方向の重力Ｇｚの経時的変化を図１１に示す。図１１に示されるように、航空機内部の低重力環境（５．０×１０−２Ｇ）は、約７秒間しか維持されていなかった。一般に、脳神経活動のデータを正確に得るためには、７秒間以上の計測が最低限必要とされていることから、低重力環境の生成前における航空機内の高重力は、１．０Ｇ以上であることが好ましいことが確認された。
【００４２】
また、この条件では、航空機の墜落を防止するべく、低重力環境の生成後における航空機内の高重力が１．６Ｇ程度にまで上昇せざるを得ない。このため、放物線軌道での飛行を複数回繰り返し、生命現象を繰り返して観察するためには、低重力環境の生成前における航空機内の高重力は、実施例１〜３のように１．０Ｇ超であることが好ましいことが分かった。
【００４３】
このときの各ラットの脳神経活動を図１２に示す。図１２に示されるように、搭載した計４匹のラットのいずれにおいても、本来目的とする５．０×１０−２Ｇの低重力環境前後において、図２のラット２で見られたような脳神経活動の上昇は一切見られなかった。本来目的とする低重力状態（５．０×１０−２Ｇ）状態で観察されるべき脳神経活動データの取得に成功した。
【００４４】
以上の実施例により、低重力環境の生成前における航空機内の高重力を１．５Ｇ未満にすることで、動物又はその組織について、航空機を放物線軌道で飛行させ且つ高重力環境が生命現象に与える影響を抑制できることが分かった。この動物系における結果は、次の技術常識を踏まえると、生物学的試料一般に妥当することは明らかである。
【００４５】
即ち、細胞内カルシウムイオン及び細胞外ＡＴＰは、ともに生物普遍的な情報伝達分子として働いているところ、ＡＴＰは、重力を始めとする機械的・物理的刺激（接触、伸展、浸透圧、血流、気流等の変化）によって細胞から放出され、まわりの細胞に伝播し、ＡＴＰ受容体を活性化するメカニズムが明らかにされている。例えば、神経興奮性組織（Ｓｏｋａｂｅ，  Ｍ．  ｅｔ  ａｌ．，  Ｐｌａｔｅａｕ  ｐａｔｔｅｒｎ  ｏｆ  ａｆｆｅｒｅｎｔ  ｄｉｓｃｈａｒｇｅ  ｒａｔｅ  ｆｒｏｍ  ｆｒｏｇ  ｍｕｓｃｌｅ  ｓｐｉｎｄｌｅｓ．  Ｊ．  Ｎｅｕｒｏｐｈｙｓｉｏｌ．  ７０：  ２７５−２８３，  １９９３）、ヒト骨（Ｍｉｚｏｇｕｃｈｉ，  Ｆ．  ｅｔ  ａｌ．，  Ｔｒａｎｓｉｅｎｔ  ｒｅｃｅｐｔｏｒ  ｐｏｔｅｎｔｉａｌ  ｖａｎｉｌｌｏｉｄ  ４  ｄｅｆｉｃｉｅｎｃｙ  ｓｕｐｐｒｅｓｓｅｓ  ｕｎｌｏａｄｉｎｇ−ｉｎｄｕｃｅｄ  ｂｏｎｅ  ｌｏｓｓ．    Ｊ．  Ｃｅｌｌ  Ｐｈｙｓｉｏｌ．  ２１６：  ４７−５３，  ２００８）、ヒト気道の平滑筋細胞（Ｉｔｏ，  Ｓ．  ｅｔ  ａｌ．，  Ａ  ｎｏｖｅｌ  Ｃａ２＋  ｉｎｆｌｕｘ  ｐａｔｈｗａｙ  ａｃｔｉｖａｔｅｄ  ｂｙ  ｍｅｃｈａｎｉｃａｌ  ｓｔｒｅｔｃｈ  ｉｎ  ｈｕｍａｎ  ａｉｒｗａｙ  ｓｍｏｏｔｈ  ｍｕｓｃｌｅ  ｃｅｌｌｓ．    Ａｍ  Ｊ．  Ｒｅｓｐｉｒ．  Ｃｅｌｌ  Ｍｏｌ．  Ｂｉｏｌ．  ３８：  ４０７−４１３，  ２００８）から植物全般（Ａｒａｂｉｄｏｐｓｉｓ  ｐｌａｓｍａ  ｍｅｍｂｒａｎｅ  ｐｏｔｅｎｔｉａｌ  ｃｒｕｃｉａｌ  ｆｏｒ  Ｃａ２＋  ｉｎｆｌｕｘ  ａｎｄ  ｔｏｕｃｈ  ｓｅｎｓｉｎｇ  ｉｎ  ｒｏｏｔｓ．    Ｐｒｏｃ．  Ｎａｔｌ．  Ａｃａｄ．  Ｓｃｉ．  ＵＳＡ  １０４：  ３６３９−３６４４，  ２００７）や、細菌（Ｒｅｓｐｏｎｓｅｓ  ｏｆ  Ｂａｃｉｌｌｕｓ  ｓｕｂｔｉｌｉｓ  ｔｏ  ｈｙｐｏｔｏｎｉｃ  ｃｈａｌｌｅｎｇｅｓ：  ｐｈｙｓｉｏｌｏｇｉｃａｌ  ｃｏｎｔｒｉｂｕｔｉｏｎｓ  ｏｆ  ｍｅｃｈａｎｏｓｅｎｓｉｔｉｖｅ  ｃｈａｎｎｅｌｓ  ｔｏ  ｃｅｌｌｕｌａｒ  ｓｕｒｖｉｖａｌ．    Ａｐｐｌ．  Ｅｎｖｉｒｏｎ．  Ｍｉｃｒｏｂｉｏｌ．  ７４：  ２４５４−２４６０，  ２００８）に至るまで、細胞・組織・個体のレベルで報告されている。このように、重力変化による影響は、動物、植物、細菌等といった生物種に関係なく、ミクロ及びマクロのレベルで生物普遍的な共通のメカニズムで説明できるのである。
【図面の簡単な説明】
【００４６】
【図１】本発明の一実施形態に係る生成方法における航空機の飛行軌道を示す図である。
【図２】比較例に係る実験方法で実験した動物の神経組織の生命現象を示す図である。
【図３】一試験例に係る実験方法で実験した動物の神経組織の生命現象を示す図である。
【図４】本発明の一実施例に係る生成方法における航空機内の上下方向の重力の経時的変化を示す図である。
【図５】前記実施例に係る生成方法で生成した低重力環境下における動物の神経組織の生命現象を示す図である。
【図６】別の試験例に係る実験方法で実験した動物の神経組織の生命現象を示す図である。
【図７】本発明の別の実施例に係る生成方法における航空機内の上下方向の重力の経時的変化を示す図である。
【図８】前記実施例に係る生成方法で生成した低重力環境下における動物の神経組織の生命現象を示す図である。
【図９】本発明の別の実施例に係る生成方法における航空機内の上下方向の重力の経時的変化を示す図である。
【図１０】前記実施例に係る生成方法で生成した低重力環境下における動物の神経組織の生命現象を示す図である。
【図１１】本発明の別の実施例に係る生成方法における航空機内の上下方向の重力の経時的変化を示す図である。
【図１２】前記実施例に係る生成方法で生成した低重力環境下における動物の神経組織の生命現象を示す図である。
【図１】
2010069952.tif 000003
【図２】
2010069952.tif 000004
【図３】
2010069952.tif 000005
【図４】
2010069952.tif 000006
【図５】
2010069952.tif 000007
【図６】
2010069952.tif 000008
【図７】
2010069952.tif 000009
【図８】
2010069952.tif 000010
【図９】
2010069952.tif 000011
【図１０】
2010069952.tif 000012
【図１１】
2010069952.tif 000013
【図１２】
2010069952.tif 000014